(57)【要約】  【課題】  整合性を失いことなく、システムを容易に大きく拡張できるとともに、ノードの集中と分散が容易になるネットワークに基づき進行させる多重層画像管理、及びその表示方法を提供する。  【解決手段】  セキュリティ制御装置が設けられたネットワーク上の複数のノードを管理して多重層画像管理を行い表示する。該ノードにコンフィギュレーション・パラメータを設定して該ノードの管理政策と、複数の親層と複数の子層を含むグレード別分類制度を制定し、且つルートを設けてネットワークのマトリクスモードとし、二つごとに該ネットワークでリンクされたその他の該ノードを管理し、該ルートによってブッキングセンターにブッキングしてライセンスを有するノード数を取得し、且つそれぞれの該ノードが該ルートからライセンスを取得して所属する子層のノードを管理し、該ネットワークを介し、該ノードの内の一、もしくは親層以上のノードから画像を取得するステップを含む。【選択図】  図１
2005192257.tif 000002
【特許請求の範囲】
【請求項１】
セキュリティ制御装置が設けられたネットワーク上の複数のノードを管理し、ネットワークに基づき進行させる多重層画像管理、及びその表示方法であって、
該ノードにコンフィギュレーション・パラメータを設定して該ノードの管理政策と、複数の親層と複数の子層を含むグレード別分類制度を制定し、且つルートを設けてネットワークのマトリクスモードとし、二つごとに該ネットワークでリンクされたその他の該ノードを管理するステップと、
該ルートによってブッキングセンターにブッキングしてライセンスを有するノード数を取得し、且つそれぞれの該ノードが該ルートからライセンスを取得して所属する子層のノードを管理するステップと、
該ネットワークを介し、該ノードの内の一、もしくは親層以上のノードから画像を取得するステップとを含むことを特徴とするネットワークに基づき進行させる多重層画像管理、及びその表示方法
【請求項２】
前記ノードが画像管理サーバであることを特徴とする請求項１に記載のネットワークに基づき進行させる多重層画像管理、及びその表示方法。
【請求項３】
前記ネットワークがインターネットと、イントラネットとを含むことを特徴とする請求項１に記載のネットワークに基づき進行させる多重層画像管理、及びその表示方法。
【請求項４】
前記ネットワークを介して画像を表示するステップにおいて、セキュリティ制御装置が所属するノード、もしくはその親層以上のノードからデータを取得するステップを更に含むことを特徴とする請求項１に記載のネットワークに基づき進行させる多重層画像管理、及びその表示方法。
【請求項５】
前記管理政策がユーザによって設定されることを特徴とする請求項１に記載のネットワークに基づき進行させる多重層画像管理、及びその表示方法。
【請求項６】
前記グレード別分類制度がユーＺによって設定されることを特徴とする請求項１に記載のネットワークに基づき進行させる多重層画像管理、及びその表示方法。
【請求項７】
前記親層内のノードが対応する子層内の少なくとも１以上の子ノードと、同時に情報のコミュニケーションを進行させることを特徴とする請求項１に記載のネットワークに基づき進行させる多重層画像管理、及びその表示方法。
【請求項８】
前記親層内の親ノードが、同時に一子層内の子ノードとされることを特徴とする請求項１に記載のネットワークに基づき進行させる多重層画像管理、及びその表示方法。
【請求項９】
前記親層ノードに接続するセキュリティ制御装置が、その管理する子ノードの撮影した画像を見ることができることを特徴とする請求項１に記載のネットワークに基づき進行させる多重層画像管理、及びその表示方法。
【請求項１０】
前記管理政策の設定は、第１ノードが第２ノードを介して第３ノードの監視制御を行うことを特徴とする請求項１に記載のネットワークに基づき進行させる多重層画像管理、及びその表示方法。
【請求項１１】
前記第２ノードが、該第１ノードに対して第３ノードの画像とデータを見る行為を阻止／許可することを特徴とする請求項１０に記載のネットワークに基づき進行させる多重層画像管理、及びその表示方法。
【請求項１２】
前記ルートが、前記ノードから選択されることを特徴とする請求項１に記載のネットワークに基づき進行させる多重層画像管理、及びその表示方法。
【請求項１３】
同一の前記ノードの管理する複数の該セキュリティ制御装置が、互いに連動することを特徴とする請求項１に記載のネットワークに基づき進行させる多重層画像管理、及びその表示方法。
【請求項１４】
前記セキュリティ制御装置が、アナログ式カメラと、ディジタル式カメラと、退出入を管理するカード読取装置と、感知装置と、救急ボタンと、アラームと、及び指示ランプとによって構成されるグループの内から選択されることを特徴とする請求項１に記載のネットワークに基づき進行させる多重層画像管理、及びその表示方法。
【請求項１５】
前記アナログ式カメラの画像フォーマットが、ＮＴＳＣか、ＰＡＬであることを特徴とする請求項１４に記載のネットワークに基づき進行させる多重層画像管理、及びその表示方法。
【請求項１６】
前記ディジタル式カメラの画像フォーマットが、ＭＰＥＧか、ＭＰＥＧ２か、ＭＰＥＧ４か、Ｈ．２６３か、もしくはＨ．２６４であることを特徴とする請求項１４に記載のネットワークに基づき進行させる多重層画像管理、及びその表示方法。
【請求項１７】
前記感知装置がマグネットスイッチと、赤外線感知器と、マイクロウェーブ空間センサと、ガラス振動感知器と、煙感知器と、温度感知器と、ガス感知器と、炎感知器と、一酸化炭素感知器と、もしくは有毒ガス感知器とによって構成競れるグループの内から選択されることを特徴とする請求項１４に記載のネットワークに基づき進行させる多重層画像管理、及びその表示方法。
【請求項１８】
前記グレード別分類制度が、ツリー状構造の関係を有するレイアウトであることを特徴とする請求項１に記載のネットワークに基づき進行させる多重層画像管理、及びその表示方法。
【請求項１９】
それぞれの前記親層に少なくとも一以上の前記ノードを設けることを特徴とする請求項１に記載のネットワークに基づき進行させる多重層画像管理、及びその表示方法。
【請求項２０】
それぞれの前記子層に少なくとも一以上の前記ノードを設けることを特徴とする請求項１に記載のネットワークに基づき進行させる多重層画像管理、及びその表示方法。
【発明の詳細な説明】
【技術分野】
【０００１】
この発明は、ネットワークによる監視方法に関し、特にネットワークに基づき進行させる多重層画像管理、及びその表示方法に関する。
【背景技術】
【０００２】
一般にセキュリティシステムは進入、進出のチェックシステムと、アラームシステム、及び映像監視システムの三つの大きなカテゴリーに分けられる。該映像監視システムは、撮影した画像の入力、画像処理、及び画像の表示、記録などの技術を結合したものであって、目下常用されている映像監視システムはアナログ式の閉回路テレビ（Closed
Circuit TeleVision）監視システムが主に採用されている。これとは別に情報のディジタル化に伴い、また、リモートコントロールのニーズが増加してきたことにより、ディジタル式の映像監視システムが将来のセキュリティ監視システム市場における主流となるべく発展してきている。よって目下の監視システムの画像表示は、アナログ信号システムと、ディジタル信号システムとが並存している。
【０００３】
産業規模の拡張と、企業のグローバル化を目指した発展により監視ポイントの遠距離化の傾向は日増しに明らかになっている。また、企業の投資環境の変化によって、多くの企業は国外に工場を設けるようになってきている。このためネットワークを利用したリモートコントロールのニーズは更に高くなっている。しかしながら映像監視システムは、監視ポイントを設ける領域の分散と、監視ポイントの数が膨大なことによって画像データの保存、配送、及び周波数帯域などの派生的な問題が多く発生している。このため実際に応用する場合システムの拡張、整合が難しく、管理が不便であるなどといった問題に面している。
【発明の開示】
【発明が解決しようとする課題】
【０００４】
この発明は、整合性を失うことなく、システムを容易に大きく拡張できるネットワークに基づき進行させる多重層画像管理、及びその表示方法を提供することを課題とする。
【０００５】
また、この発明はノードの集中と分散が容易で、監視ポイントを設ける領域の分散と、監視ポイントの数が膨大なことによって画像データの保存、配送、及び周波数帯域などの問題を改善するネットワークに基づき進行させる多重層画像管理、及びその表示方法を提供することを課題とする。
【課題を解決するための手段】
【０００６】
以下、この発明について具体的に説明する。
【０００７】
請求項１に記載するネットワークに基づき進行させる多重層画像管理、及びその表示方法は、セキュリティ制御装置が設けられたネットワーク上の複数のノードを管理し、ネットワークに基づき進行させる多重層画像管理、及びその表示方法が、
該ノードにコンフィギュレーション・パラメータを設定して該ノードの管理政策と、複数の親層と複数の子層を含むグレード別分類制度を制定し、且つルートを設けてネットワークのマトリクスモードとし、二つごとに該ネットワークでリンクされたその他の該ノードを管理するステップと、
該ルートによってブッキングセンターにブッキングしてライセンスを有するノード数を取得し、且つそれぞれの該ノードが該ルートからライセンスを取得して所属する子層のノードを管理するステップと、
該ネットワークを介し、該ノードの内の一、もしくは親層以上のノードから画像を取得するステップとを含む。
【０００８】
請求項２に記載するネットワークに基づき進行させる多重層画像管理、及びその表示方法は、請求項１におけるノードが画像管理サーバである。
【０００９】
請求項３に記載するネットワークに基づき進行させる多重層画像管理、及びその表示方法は、請求項１におけるネットワークがインターネットと、イントラネットとを含む。
【００１０】
請求項４に記載するネットワークに基づき進行させる多重層画像管理、及びその表示方法は、請求項１におけるネットワークを介して画像を表示するステップにおいて、セキュリティ制御装置が所属するノード、もしくはその親層以上のノードからデータを取得するステップを更に含む。
【００１１】
請求項５に記載するネットワークに基づき進行させる多重層画像管理、及びその表示方法は、請求項１における管理政策がユーザによって設定される。
【００１２】
請求項６に記載するネットワークに基づき進行させる多重層画像管理、及びその表示方法は、請求項１におけるグレード別分類制度がユーザによって設定される。
【００１３】
請求項７に記載するネットワークに基づき進行させる多重層画像管理、及びその表示方法は、請求項１における親層内のノードが、対応する子層内の少なくとも１以上の子ノードと、同時に情報のコミュニケーションを進行させる。
【００１４】
請求項８に記載するネットワークに基づき進行させる多重層画像管理、及びその表示方法は、請求項１における親層内の親ノードが、同時に一子層内の子ノードとされる。
【００１５】
請求項９に記載するネットワークに基づき進行させる多重層画像管理、及びその表示方法は、請求項１における親層ノードに接続するセキュリティ制御装置が、その管理する子ノードの撮影した画像を見ることができる。
【００１６】
請求項１０に記載するネットワークに基づき進行させる多重層画像管理、及びその表示方法は、請求項１における管理政策の設定は、第１ノードが第２ノードを介して第３ノードの監視制御を行うこと。
【００１７】
請求項１１に記載するネットワークに基づき進行させる多重層画像管理、及びその表示方法は、請求項１０第２ノードが、該第１ノードに対して第３ノードの画像とデータを見る行為を阻止／許可する。
【００１８】
請求項１２に記載するネットワークに基づき進行させる多重層画像管理、及びその表示方法は、請求項１におけるルートが、前記ノードから選択される。
【００１９】
請求項１３に記載するネットワークに基づき進行させる多重層画像管理、及びその表示方法は、請求項１における同一の前記ノードの管理する複数の該セキュリティ制御装置が、互いに連動する。
【００２０】
請求項１４に記載するネットワークに基づき進行させる多重層画像管理、及びその表示方法は、請求項１におけるセキュリティ制御装置が、アナログ式カメラと、ディジタル式カメラと、退出入を管理するカード読取装置と、感知装置と、救急ボタンと、アラームと、及び指示ランプとによって構成されるグループの内から選択される。
【００２１】
請求項１５に記載するネットワークに基づき進行させる多重層画像管理、及びその表示方法は、請求項１４におけるアナログ式カメラの画像フォーマットが、ＮＴＳＣか、ＰＡＬである。
【００２２】
請求項１６に記載するネットワークに基づき進行させる多重層画像管理、及びその表示方法は、請求項１４におけるディジタル式カメラの画像フォーマットが、ＭＰＥＧか、ＭＰＥＧ２か、ＭＰＥＧ４か、Ｈ．２６３か、もしくはＨ．２６４である。
【００２３】
請求項１７に記載するネットワークに基づき進行させる多重層画像管理、及びその表示方法は、請求項１４における感知装置がマグネットスイッチと、赤外線感知器と、マイクロウェーブ空間センサと、ガラス振動感知器と、煙感知器と、温度感知器と、ガス感知器と、炎感知器と、一酸化炭素感知器と、もしくは有毒ガス感知器とによって構成競れるグループの内から選択される。
【００２４】
請求項１８に記載するネットワークに基づき進行させる多重層画像管理、及びその表示方法は、請求項１におけるグレード別分類制度が、ツリー状構造の関係を有するレイアウトである。
【００２５】
請求項１９に記載するネットワークに基づき進行させる多重層画像管理、及びその表示方法は、請求項１におけるそれぞれの前記親層に少なくとも一以上の前記ノードを設ける。
【００２６】
請求項２０に記載するネットワークに基づき進行させる多重層画像管理、及びその表示方法は、請求項１におけるそれぞれの前記子層に少なくとも一以上の前記ノードを設ける。
【発明の効果】
【００２７】
本発明のネットワークに基づき進行させる多重層画像管理、及びその表示方法は、整合性を失いことなく、システムを容易に大きく拡張できるとともに、ノードの集中と分散が容易になるという利点がある。
【発明を実施するための最良の形態】
【００２８】
この発明は、マトリクス式の配列に基づきデータの伝送と管理を行い、システムを大きく拡張できるとともにその整合性を失うことなく、同時にノードの集中と分散を享有できるという特徴を備える。セキュリティシステムはネットワークを介して複数のノードをリンクする。それぞれのノードにはセキュリティ制御装置が設けられる。該セキュリティ制御装置は、通常画像管理サーバであって該ネットワークにはインターネットと、イントラネットとが含まれる。
係る構成のネットワークに基づき進行させる多重層画像管理、及びその表示方法について、その構造と特徴を詳述するために具体的な実施例を挙げ、以下に説明する。
【実施例１】
【００２９】
この発明のネットワークに基づいて進行させる多重層画像管理、及びその表示方法は図１に開示するように次に掲げるステップを含んでなる。即ちＳ１０のステップにおいて、ノードにコンフィギュレーション・パラメータ（Ｃｏｎｆｉｇｕｒａｔｉｏｎ  ｐａｒａｍｅｔｅｒ）を設定し、該ノードの管理政策とグレード別分類制度を制定する。該グレード別分類制度は、ツリー状の構造関係のレイアウトであって、その構造は図２に開示するようにそれぞれの画像管理サーバが一つのノードとなる。係るツリー状構造のレイアウトは複数の親層と子層とを含んでなる。ルート（Ｒｏｏｔ）を設けてネットワークマトリクスモードとする。これをメインサーバとし、その他ノードを管理する。二つごとのノードの間はネットワークを介してリンクする。また、ノードＡのように親層のないノードを利用してネットワークマトリクスノードとする。また、ノードＢ４、Ｃ５、及びノードＥ１〜Ｅ８のように、子層の無いノードを葉と称する。
【００３０】
ノードの設定したコンフィギュレーション・パラメータをもって、ツリー状のレイアウトを形成したＳ１２のステップを実行する。Ｓ１２のステップにおいて、ルートからブッキングセンターにブッキングしてライセンスを有するノード数を取得する。次いでそれぞれのノードが、該ルートからライセンスを有するノード数を取得し、所属する子層のノードを管理する。
【００３１】
上述の通りそれぞれのノードがライセンスを有するノード数を取得すると、Ｓ１４のステップを実行する。Ｓ１４のステップにおいては、インターネットを介して、そのうちの一ノード、もしくは親層以上のノードから画像を取得するか、もしくは画像を取得すると同時にその他データを取得する。
【００３２】
前述する方法を利用し、且つネットワークを介して多重層画像管理及びその表示を行う場合、図３に開示するようにそれぞれの画像管理サーバ１０内にコミュニケーション・エージェント（Ｃｏｍｍｕｎｉｃａｔｉｏｎ  ａｇｅｎｔ）１２を設けてサーバ１０との間のコミュニケーションを行う。Ｓ１０のステップにおけるグレード別分類制度とはユーザの設定と定義を行うものである。例えばサーバＡはサーバＢ、及びサーバＣとコミュニケーションを行う事ができ、サーバＡに接続する表示装置（Ｖｉｅｗｅｒ）は、サーバＢの取得した画像を見ることができる。それぞれのサーバ１０は、同時に少なくとも一以上のサーバ１０と情報のコミュニケーションを行うことができる。また、親ノードとするサーバ１０は、同時に他の子層内の子ノードとする事ができる。親ノードに接続する表示装置はその管理する子ノードが取得した画像を見ることができる。
【００３３】
Ｓ１０のステップにおける管理政策は、ユーザによって設定と定義を行う。例えば、コンフィギュレーション・パラメータを設定することによって第１ノードは第２ノードを介して第３ノードを制御することができる。具体的に言えば画像管理サーバＡに接続する表示装置は、画像管理サーバＢを介して画像管理サーバＧの撮影した画像を見ることができる。また、該管理政策の設定によって第２ノードは、第１ノードが第３ノードの映像とデータを見ることを阻止／許可することができる。具体的に言えば仮に２台のカメラが画像管理サーバＧに接続している場合、該管理政策の設定によって画像管理サーバＧのコミュニケーション・エージェントが、画像管理サーバＡに接続する表示装置が画像管理サーバＢを介して該２台のカメラ、もしくは１台のカメラの撮影した画像を見ることを阻止するか、または許可することができる。
【００３４】
この発明の方法と、及びこれに使用するネットワークの構成、レイアウトの関係は上述の通りである。次いで当業者が本発明の技術を理解して容易に実施できるようにするため、具体的な実施例を挙げて、この発明の実際の応用について以下に説明する。
【００３５】
図４に開示するように、二つの画像管理サーバ１０、１０’は、ネットワークを介して接続する。該ネットワークは外部のネットワークであるか、もしくは内部のネットワークであってもよい。二つの画像管理サーバ１０、１０’は、二つのノードであって、それぞれ複数のセキュリティコントローラを制御する。これにはアナログ式カメラ１４、ディジタル式カメラ１６、Ｉ／Ｏコントローラ１８、退出入コントローラ２０などを含む。また、画像管理サーバ１０は、表示装置２６に接続する。それぞれのディジタル式カメラ１６は指定された独自のＩＰアドレスを有する。その画像フォーマットは通常ＭＰＥＧか、ＭＰＥＧ２か、ＭＰＥＧ４か、Ｈ．２６３か、もしくはＨ．２６４であって、アナログ式カメラ１４の画像フォーマットはＮＴＳＣか、ＰＡＬである。
【００３６】
Ｉ／Ｏコントローラ１８には、複数のユニット２２を接続する。これには感知器、救急ボタン、アラーム、もしくは指示ランプなどが含まれる。該感知器は、マグネットスイッチか、赤外線感知器か、マイクロウェーブ空間センサか、ガラス振動感知器か、煙感知器か、温度感知器か、ガス感知器か、炎感知器か、一酸化炭素感知器か、もしくは有毒ガス感知器を含む。退出入管理コントローラ２０に、複数のカード読み取り装置２４を接続し、カードの読み取りによって退出入を管理する。表示装置２６は画像管理サーバ１０に接続するカメラの撮影した画像以外に、上述する画像管理、及び表示方法に基づき、遠隔地にある他の画像管理サーバ１０’の取得した画像とデータを見ることができる。また、同一ノードのカメラ１４、１６、検知装置、カード読取装置２４は、画像管理サーバ１０、もしくは画像管理サーバ１０’の制御によって互いに連動することができる。
【００３７】
従って、上述する多重層画像管理、及び表示方法は、直列モード及び／もしくは並列モードによってデータの伝送と管理を行う。よって、システムを大きく拡張することができ、且つ整合性を失うことが無く、また、集中と分散を容易に行うことができるという特徴を有する。また、画像監視システムにおいて監視制御を行うポイントが分散し、監視制御のポイント数が膨大になるといった問題、更に画像データの保存、配送、及びネットワークの周波数帯域などの問題を改善することができる。
【００３８】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３９】
【図１】この発明による多重層画像管理、及び表示方法のステップを示したフローチャートである。
【図２】この発明におけるノードのツリー構造のレイアウトを示した説明図である。
【図３】この発明における画像管理ノードの関係を示した説明図である。
【図４】この発明におけるノードのレイアウトとその実施例を示した説明図である。
【符号の説明】
【００４０】
１０、１０’画像管理サーバ
１２        コミュニケーション・エージェント
１４        アナログ式カメラ
１６        ディジタル式カメラ
１８        Ｉ／Ｏコントローラ
２０        退出入管理コントローラ
２２        ユニット
２４        カード読み取り装置
２６        表示装置
【図１】
2005192257.tif 000003
【図２】
2005192257.tif 000004
【図３】
2005192257.tif 000005
【図４】
2005192257.tif 000006